(57)【要約】【課題】製造コストの低減を図ることができながら、パネル部の設計の自由度の向上を図ることができる画像形成装置を提供すること。【解決手段】プリンタ１に、トップカバー６３を備える本体ケーシング２と、用紙Ｐに画像を形成するように構成される画像形成部４と、画像形成部４の動作を操作するラバーキー９１および画像形成部４の動作を表示するディスプレイユニット９２を備えるパネルユニット６４と、本体ケーシング２から排出される用紙Ｐを載置する排紙トレイ１１とを備える。そして、トップカバー６３に、排紙トレイ１１の一部を構成するトレイ部６５と、上方から見てトレイ部６５の周りを囲む囲部６６と、囲部６６を上下方向に貫通するパネル露出口７５とを備え、パネルユニット６４を、パネル露出口７５に挿入されるように配置する。【選択図】図７
2015106063.tif 000002
【特許請求の範囲】
【請求項１】
筐体と、
前記筐体内に配置され、記録媒体に画像を形成するように構成される画像形成部と、
前記画像形成部の動作を操作するための操作部および前記画像形成部の動作を表示するための表示部の少なくともいずれか一方を備えるパネル部と、
前記筐体から排出される記録媒体を載置するように構成される排出トレイと
を備え、
前記筐体は、前記画像形成部に対して上方に配置され、前記筐体の上面の少なくとも一部を構成するカバーを備え、
前記カバーは、
前記排出トレイの少なくとも一部を構成するトレイ部と、
上方から見て前記トレイ部の周りを囲む囲部と、
前記囲部を上下方向に貫通する開口部とを有し、
前記パネル部は、前記開口部に挿入されるように配置されていることを特徴とする、画像形成装置。
【請求項２】
前記筐体は、
前記筐体の内部空間と外部空間とを鉛直方向に直交する直交方向に連通する第２開口部と、
前記第２開口部を閉鎖する閉鎖位置と、前記第２開口部を開放する開放位置とに揺動するように構成される開閉カバーと、
前記開閉カバーに備えられ、前記閉鎖位置にある前記開閉カバーをロックまたはロック解除するカバー操作部とを、備え、
前記カバーは、前記開閉カバーが前記閉鎖位置にあるときに、前記カバー操作部を受け入れる凹部を有し、
前記開閉カバーが前記閉鎖位置にある状態において、前記排出トレイ、前記囲部、前記パネル部および前記カバー操作部が、前記筐体の上面を構成することを特徴とする、請求項１に記載の画像形成装置。
【請求項３】
前記カバーは、前記排出トレイに向かう記録媒体の搬送をガイドするように構成される搬送ガイドを有していることを特徴とする、請求項１または２に記載の画像形成装置。
【請求項４】
前記カバーは、前記カバーの下面における前記開口部の周囲に配置されるカバー係合部を有し、
前記パネル部は、前記カバー係合部と係合するパネル係合部を有することを特徴とする、請求項１〜３のいずれか一項に記載の画像形成装置。
【請求項５】
前記パネル部は、
前記操作部および前記表示部の少なくともいずれか一方と、電気的に接続される基板と、
前記操作部および前記表示部の少なくともいずれか一方と、前記基板とが取り付けられるパネルフレームと、を備えていることを特徴とする、請求項１〜４のいずれか一項に記載の画像形成装置。
【請求項６】
前記パネル部の下方に配置され、前記パネル部を下方から覆うように、前記カバーに取り付けられるパネル被覆部を備えていることを特徴とする、請求項５に記載の画像形成装置。
【請求項７】
前記パネル被覆部は、前記基板とは異なる第２の基板が取り付けられていることを特徴とする、請求項６に記載の画像形成装置。
【発明の詳細な説明】
【技術分野】
【０００１】
本発明は、画像形成装置に関する。
【背景技術】
【０００２】
電子写真方式の画像形成装置として、外装カバーと、コントロールパネルとを備えるプリンタが知られている（たとえば、特許文献１参照。）。このようなコントロールパネルは、外装カバーに一体として備えられている。
【先行技術文献】
【特許文献】
【０００３】
【特許文献１】特開２００２−３５１２８２号公報
【発明の概要】
【発明が解決しようとする課題】
【０００４】
しかるに、コントロールパネルは、ボタンおよびタッチパネルなどの操作部や、ＬＥＤディスプレイなどの表示部を有しており、それらの個数および配置は、プリンタの態様や機能に応じて、適宜変更される。
【０００５】
しかし、特許文献１に記載のプリンタでは、外装カバーとコントロールパネルとが一体であるので、コントロールパネルの設計を変更するには、コントロールパネルとともに外装カバー全体の形状を変更する必要がある。そのため、プリンタの製造コストの低減を図るには限度がある。
【０００６】
そこで、本発明の目的は、製造コストの低減を図ることができながら、パネル部の設計の自由度の向上を図ることができる画像形成装置を提供することにある。
【課題を解決するための手段】
【０００７】
（１）上記した目的を達成するために、本発明の画像形成装置は、筐体と、筐体内に配置され、記録媒体に画像を形成するように構成される画像形成部と、画像形成部の動作を操作するための操作部および画像形成部の動作を表示するための表示部の少なくともいずれか一方を備えるパネル部と、筐体から排出される記録媒体を載置するように構成される排出トレイとを備えている。筐体は、画像形成部に対して上方に配置され、筐体の上面の少なくとも一部を構成するカバーを備えている。
【０００８】
カバーは、排出トレイの少なくとも一部を構成するトレイ部と、上方から見てトレイ部の周りを囲む囲部と、囲部を上下方向に貫通する開口部とを有している。パネル部は、開口部に挿入されるように配置されている。
【０００９】
このような構成によれば、パネル部が、カバーの開口部に挿入されるように配置されているので、パネル部において操作部や表示部の個数および配置を変更する場合には、パネル部のみの設計を変更した後、そのパネル部を、カバーの開口部に対して挿入するように組み付けることができる。
【００１０】
そのため、パネル部の設計を変更する場合であっても、パネル部とともにカバーの形状を変更する必要がなく、製造コストの低減を図ることができる。
【００１１】
よって、製造コストの低減を図ることができながら、パネル部の設計の自由度の向上を図ることができる。
（２）筐体は、筐体の内部空間と外部空間とを鉛直方向に直交する直交方向に連通する第２開口部と、第２開口部を閉鎖する閉鎖位置と、第２開口部を開放する開放位置とに揺動するように構成される開閉カバーと、開閉カバーに備えられ、閉鎖位置にある開閉カバーをロックまたはロック解除するカバー操作部とを、備えていてもよい。この場合、カバーは、開閉カバーが閉鎖位置にあるときに、カバー操作部を受け入れる凹部を有し、開閉カバーが閉鎖位置にある状態において、排出トレイ、囲部、パネル部およびカバー操作部が、筐体の上面を構成している。
【００１２】
このような構成によれば、閉鎖位置にある開閉カバーのカバー操作部が、カバーの凹部に受け入れられるので、画像形成装置が開閉カバーを備えていても、画像形成装置の大型化を抑制できる。また、閉鎖位置にある開閉カバーのカバー操作部が、筐体の上面の一部を構成するので、カバー操作部に対して容易にアクセスすることができる。
（３）カバーは、排出トレイに向かう記録媒体の搬送をガイドするように構成される搬送ガイドを有していてもよい。
【００１３】
このような構成によれば、搬送ガイドが、排出トレイに向かう記録媒体の搬送をガイドするので、記録媒体を筐体から排出トレイに向けて確実に排出することができる。
【００１４】
また、カバーが搬送ガイドを有しているので、カバーと搬送ガイドとが別部材である場合と比較して、部品点数の低減を図ることができる。
（４）カバーは、カバーの下面における開口部の周囲に配置されるカバー係合部を有していてもよい。この場合、パネル部は、カバー係合部と係合するパネル係合部を有している。
【００１５】
このような構成によれば、パネル部が、カバーの開口部に挿入された状態において、カバー係合部とパネル係合部とを係合させることができる。そのため、パネル部とカバーとが別体であっても、パネル部とカバーとの相対的な位置関係を一定に保つことができる。
（５）パネル部は、操作部および表示部の少なくともいずれか一方と、電気的に接続される基板と、操作部および表示部の少なくともいずれか一方と、基板とが取り付けられるパネルフレームと、を備えていてもよい。
【００１６】
このような構成によれば、操作部および表示部の少なくともいずれか一方と、基板とがともにパネルフレームに取り付けられるので、操作部および表示部の少なくともいずれか一方と、基板との相対的な位置関係を一定に保つことができる。そのため、操作部および表示部の少なくともいずれか一方と、基板とを確実に電気的に接続できる。
（６）画像形成装置は、パネル部の下方に配置され、パネル部を下方から覆うように、カバーに取り付けられるパネル被覆部を備えていてもよい。
【００１７】
このような構成によれば、パネル被覆部がパネル部を下方から覆っているので、パネル部を保護することができる。
（７）パネル被覆部は、基板とは異なる第２の基板が取り付けられていてもよい。
【００１８】
このような構成によれば、パネル被覆部が第２の基板を支持しているので、パネル部の機能の向上を図ることができる。
【発明の効果】
【００１９】
本発明の画像形成装置によれば、製造コストの低減を図ることができながら、パネル部の設計の自由度の向上を図ることができる。
【図面の簡単な説明】
【００２０】
【図１】図１は、本発明の画像形成装置の一実施形態としてのプリンタの中央断面図を示す。
【図２】図２は、図１に示すプリンタを左上方から見た斜視図を示す。
【図３】図３は、図２に示す上壁および左側壁を右前方から見た分解斜視図を示す。
【図４】図４は、図３に示す上壁を左上方から見た分解斜視図を示す。
【図５】図５は、図３に示す上壁を左下方から見た分解斜視図を示す。
【図６】図６Ａは、図４に示すトップカバー、パネルユニットおよびパネルカバーを左上方から見た斜視図を示す。図６Ｂは、図６Ａに示すトップカバー、パネルユニットおよびパネルカバーを左下方から見た斜視図を示す。
【図７】図７は、図３に示す上壁を右下方から見た斜視図を示す。
【図８】図８は、図６Ａに示すパネルユニットおよびパネルカバーを左上方から見た斜視図であって、パネルフレームを除いた状態を示す。
【図９】図９は、図３に示すフレームを左下方から見た斜視図を示す。
【図１０】図１０は、図３に示すサイドカバーを右前方から見た斜視図を示す。
【図１１】図１１Ａは、図２に示すプリンタの平面図を示す。図１１Ｂは、図１１Ａに示すプリンタのＡ−Ａ断面図を示す。
【図１２】図１２Ａは、図１１Ｂに示すパネルユニットおよびフレームの平面図を示す。図１２Ｂは、図１２Ａに示すパネルユニットおよびフレームのＢ−Ｂ断面図を示す。
【図１３】図１３は、図１２Ａに示すパネルユニットおよびフレームのＣ−Ｃ断面図を示す。
【発明を実施するための形態】
【００２１】
１．プリンタの全体構成
図１に示すように、画像形成装置の一例としてのプリンタ１は、ダイレクトタンデム型カラーレーザプリンタである。プリンタ１は、筐体の一例としての本体ケーシング２と、給紙部３と、画像形成部４と、排紙部５とを備えている。
【００２２】
本体ケーシング２は、略ボックス形状を有しており、給紙部３、画像形成部４および排紙部５を収容している。
【００２３】
なお、以下の説明において、プリンタ１の方向に言及するときには、プリンタ１を水平に載置した状態を上下の基準とする。すなわち、図１の紙面上方が上方であり、紙面下方が下方である。また、図１の紙面右方が前方であり、図１の紙面左方が後方である。また、プリンタ１を前方から見たときを左右の基準とする。すなわち、図１の紙面手前が左方であり、紙面奥が右方である。つまり、前後方向および左右方向のそれぞれが水平方向であり、上下方向が鉛直方向である。なお、具体的には、各図において方向を矢印にて示す。また、前後方向が直交方向の一例であり、前方が直交方向の一方、後方が直交方向の他方である。
【００２４】
本体ケーシング２は、第２開口部の一例としての本体開口部９と、開閉カバーの一例としてのフロントカバー１０と、排出トレイの一例としての排紙トレイ１１とを備えている。本体開口部９は、本体ケーシング２の前端部に配置されており、本体ケーシング２の前壁を前後方向に貫通している。つまり、本体開口部９は、本体ケーシング２の内部空間と外部空間とを前後方向に連通している。フロントカバー１０は、図２に示すように、その下端部を支点として、本体開口部９を閉鎖する閉鎖位置と、本体開口部９を開放する開放位置とに揺動するように構成されている。なお、図２において、閉鎖位置にあるフロントカバー１０を実線にて示し、開放位置にあるフロントカバー１０を仮想線にて示す。
【００２５】
排紙トレイ１１は、本体ケーシング２の上壁５９の後方部分に配置されている。排紙トレイ１１は、記録媒体の一例としての用紙Ｐが載置されるように、本体ケーシング２の上面から下方へ凹んでいる。
【００２６】
給紙部３は、用紙Ｐを画像形成部４に向けて搬送するように構成されている。給紙部３は、給紙トレイ１２を備えている。給紙トレイ１２は、用紙Ｐを載置して収容し、本体ケーシング２内の底部に着脱可能に装着されている。
【００２７】
画像形成部４は、用紙Ｐに画像を形成するように構成されており、スキャナユニット２０と、プロセスユニット２１と、転写ユニット２２と、定着ユニット２３とを備えている。
【００２８】
スキャナユニット２０は、本体ケーシング２内の上部に配置されている。スキャナユニット２０は、後述する複数の感光ドラム２８のそれぞれに向けて、画像データに基づいて、レーザービームをそれぞれ出射し、後述する感光ドラム２８を露光する。
【００２９】
プロセスユニット２１は、本体ケーシング２内の上下方向略中央であって、スキャナユニット２０の下方に配置されている。プロセスユニット２１は、前後方向にスライド可能であり、本体開口部９を介して本体ケーシング２外に引き出し可能に構成されている。プロセスユニット２１は、ドロワユニット２７と、現像カートリッジ３０とを備えている。
【００３０】
ドロワユニット２７は、感光ドラム２８と、スコロトロン型帯電器２９とを備えている。
【００３１】
感光ドラム２８は、複数色に対応して複数備えられており、前後方向に互いに間隔を隔てて並列配置されている。具体的には、感光ドラム２８は、イエロー、マゼンタ、シアンおよびブラックの４色に対応して４つ備えられており、ドロワユニット２７の前方から後方に向かって、順次配列されている。感光ドラム２８は、左右方向に長手の略円筒形状を有し、ドロワユニット２７の下端部において、下方から露出されるように回転可能に支持されている。
【００３２】
スコロトロン型帯電器２９は、複数の感光ドラム２８のそれぞれに対応して、複数、具体的には４つ備えられている。スコロトロン型帯電器２９は、対応する感光ドラム２８に対して後上方に間隔を隔てて配置されている。
【００３３】
現像カートリッジ３０は、複数の感光ドラム２８のそれぞれに対応して、複数、具体的には４つ備えられている。現像カートリッジ３０は、対応する感光ドラム２８の前上方において、ドロワユニット２７に離脱可能に装着されている。現像カートリッジ３０は、現像ローラ３１と、供給ローラ３２と、層厚規制ブレード３３とを備えている。
【００３４】
現像ローラ３１は、現像カートリッジ３０の下端部に配置されており、現像ローラ３１の後下方部分は、現像カートリッジ３０から露出している。そして、現像ローラ３１の後下端部は、感光ドラム２８の前上端部に対して接触している。供給ローラ３２は、現像ローラ３１に対して前上方に配置されており、供給ローラ３２の後下端部は現像ローラ３１の前上端部に接触している。層厚規制ブレード３３は、現像ローラ３１に対して上方に配置されており、現像ローラ３１の上端部に対して接触している。また、現像カートリッジ３０は、供給ローラ３２の上方の空間に、各色に対応するトナーを収容している。
【００３５】
転写ユニット２２は、上下方向において、給紙トレイ１２とプロセスユニット２１との間に配置されており、前後方向に延びている。転写ユニット２２は、駆動ローラ３７と、従動ローラ３８と、搬送ベルト３９と、転写ローラ４１とを備えている。駆動ローラ３７および従動ローラ３８は、前後方向に互いに間隔を隔てて配置されている。搬送ベルト３９は、駆動ローラ３７および従動ローラ３８の周りに巻回されている。転写ローラ４１は、４つの感光ドラム２８のそれぞれに対応して、４つ備えられており、対応する感光ドラム２８と搬送ベルト３９の上方部分を挟むように、対応する感光ドラム２８の下方に配置されている。
【００３６】
定着ユニット２３は、転写ユニット２２の後方に間隔を空けて位置している。定着ユニット２３は、加熱ローラ４３と、加圧ローラ４４とを備えている。加圧ローラ４４の前上端部は、加熱ローラ４３の後下端部に対して圧接している。
【００３７】
排紙部５は、画像形成部４により画像が形成された用紙Ｐを本体ケーシング２外に排出するように構成されている。排紙部５は、定着ユニット２３に対して上方に配置されており、排紙ローラ５０を備えている。排紙ローラ５０は、排紙トレイ１１の後方に配置されており、本体ケーシング２に回転可能に支持されている。
【００３８】
このようなプリンタ１において、図示しない制御部の制御により、画像形成動作が開始されると、スコロトロン型帯電器２９は、感光ドラム２８の表面を一様に帯電する。その後、スキャナユニット２０が、所定の画像データに基づいて、帯電された感光ドラム２８の表面を露光する。これによって、感光ドラム２８の表面には、画像データに基づく静電潜像が形成される。
【００３９】
また、現像カートリッジ３０内のトナーは、供給ローラ３２に供給される。そして、供給ローラ３２は、トナーを現像ローラ３１に供給する。そして、供給ローラ３２と現像ローラ３１とは、それらの間でトナーを正極性に摩擦帯電する。次いで、層厚規制ブレード３３は、現像ローラ３１に供給されたトナーを一定の厚みに規制する。そして、現像ローラ３１は、回転することにより、担持するトナーを、感光ドラム２８の周面上の静電潜像に供給する。これにより、感光ドラム２８の周面上にトナー像が担持される。
【００４０】
一方、給紙トレイ１２に収容される用紙Ｐは、給紙トレイ１２から各種ローラの回転により、所定のタイミングで１枚ずつ、感光ドラム２８と搬送ベルト３９との間に供給される。次いで、搬送ベルト３９は、感光ドラム２８と搬送ベルト３９との間に給紙された用紙Ｐを、前方から後方に向かって搬送する。このとき、感光ドラム２８および転写ローラ４１は、それらの間を通過する用紙Ｐに、各色のトナー像を順次転写する。これによって、用紙Ｐにカラー画像が形成される。
【００４１】
次いで、カラー画像が形成された用紙Ｐは、搬送ベルト３９の周回移動により、加熱ローラ４３と加圧ローラ４４との間に到達する。加熱ローラ４３および加圧ローラ４４は、それらの間を通過する用紙Ｐを加熱および加圧する。これにより、用紙Ｐに転写されたカラー画像は、用紙Ｐに熱定着される。その後、用紙Ｐは、後述する搬送ガイド７７のガイドリブ８２にガイドされて、排紙ローラ５０に向かって搬送された後、排紙ローラ５０により、後方から前方に向かって排紙トレイ１１に排紙される。つまり、後述する搬送ガイド７７は、排紙トレイ１１に向かう用紙Ｐの搬送をガイドする。そして、排紙された用紙Ｐは、排紙トレイ１１の上面にスタックされ支持される。
２．本体ケーシングの詳細
本体ケーシング２は、図１および図２に示すように、上壁５９と、側壁の一例としての左側壁６１と、右側壁６０と、後壁６２と、フロントカバー１０とを備えている。
（２−１）上壁
上壁５９は、図１に示すように、画像形成部４に対して上方に配置されている。
【００４２】
上壁５９は、図４および図６Ａに示すように、第１部材およびカバーの一例としてのトップカバー６３と、第２部材およびパネル部の一例としてのパネルユニット６４と、パネル被覆部の一例としてのパネルカバー７４と、ＵＳＢ基板７２と、第２の基板の一例としての通信基板７３とを備えている。
【００４３】
トップカバー６３は、平面視略矩形の板状を有しており、トレイ部６５と、囲部６６とを一体に有している。
【００４４】
トレイ部６５は、平面視においてトップカバー６３の後方部分の左右方向略中央に配置されており、トップカバー６３の上面から下方に向かって凹んでいる。詳しくは、トレイ部６５は、用紙載置部６７と、１対のトレイ側壁６８とを備えている。
【００４５】
用紙載置部６７は、トレイ部６５の底部であって、左右方向に延びる平面視略矩形の板状を有している。用紙載置部６７は、図１に示すように、囲部６６から連続して、後方に向かうにつれて下方に傾斜するように延びている。１対のトレイ側壁６８のそれぞれは、図４に示すように、用紙載置部６７の左右両端部のそれぞれと、囲部６６とを上下方向に連結している。これによって、１対のトレイ側壁６８は、左右方向に互いに間隔を空けて向い合っている。
【００４６】
なお、トレイ部６５は、図１に示すように、プリンタ１が備えるインナーシュート６９とともに排紙トレイ１１を構成する。インナーシュート６９は、底部７０と、１対の側部７１とを有している。底部７０は、側面視略Ｌ字の板状を有しており、左右方向に延びている。底部７０の後方部分は、上下方向に延び、底部７０の前方部分は、底部７０の後方部分の下端部から連続して、前上方に向かって延びている。１対の側部７１は、左右方向に互いに間隔を空けて向かい合っている。側部７１は、上下方向に延びる側面視略矩形の板状であり、側部７１の左右方向端部に接続されている。そして、インナーシュート６９は、底部７０の前方部分が用紙載置部６７の後下方に隣接されるとともに、１対の側部７１のそれぞれが１対のトレイ側壁６８のそれぞれの後方に隣接されるように、本体ケーシング２に固定されている。これによって、トレイ部６５およびインナーシュート６９は、排紙トレイ１１を画定する。
【００４７】
囲部６６は、図１１Ａに示すように、上方から見て、トレイ部６５の周りを囲むＯ字状を有している。囲部６６は、図４に示すように、開口部の一例としてのパネル露出口７５と、凹部７６とを有している。
【００４８】
パネル露出口７５は、囲部６６の左方部分における前方部分に配置されており、トレイ部６５に対して左前方に配置されている。パネル露出口７５は、前後方向に延びる平面視略矩形状を有しており、囲部６６を上下方向に貫通している。
【００４９】
凹部７６は、囲部６６の前端部における左右方向略中央に配置されており、パネル露出口７５に対して前右方に配置されている。凹部７６は、前方に向かって開放される平面視略Ｕ字状を有しており、囲部６６の前端縁から後方に向かって凹んでいる。
【００５０】
また、囲部６６は、図５に示すように、その下面において、複数のスナップフィット７８と、１対のカバー係合部７９と、係合板８０と、搬送ガイド７７とを一体に有している。
【００５１】
複数のスナップフィット７８は、具体的には、囲部６６の下面において、パネル露出口７５の左右両方の周縁部分に２つずつ配置されている。パネル露出口７５に対して左方に配置される２つのスナップフィット７８、および、パネル露出口７５に対して右方に配置される２つのスナップフィット７８のそれぞれは、前後方向に互いに間隔を空けて配置されている。
【００５２】
スナップフィット７８は、上下方向に延びる側面視略矩形の板状を有しており、囲部６６の下面から下方に向かって延びている。これにより、スナップフィット７８は、左右方向に撓むように弾性変形可能である。また、スナップフィット７８の下端部は、左右方向内方に向かって突出する断面鉤状を有している。
【００５３】
１対のカバー係合部７９は、囲部６６の下面において、パネル露出口７５の後方の周縁部分に配置されており、左右方向に互いに間隔を空けて配置されている。カバー係合部７９は、上方に向かって開放される正面視略Ｕ字状を有しており、前後方向に延びている。そして、カバー係合部７９の上端部は、囲部６６の下面に接続されている。
【００５４】
係合板８０は、囲部６６の下面において、パネル露出口７５の後方の周縁部分に配置されており、１対のカバー係合部７９の左右方向の間に配置されている。係合板８０は、左右方向の延びる正面視略矩形の板状を有しており、囲部６６の下面から下方に向かって突出している。係合板８０の上下方向の寸法は、カバー係合部７９の上下方向の寸法よりも大きい。
【００５５】
また、係合板８０は、嵌合穴８１を有している。嵌合穴８１は、係合板８０の正面視略中央に配置されており、左右方向に延びる正面視略矩形状を有している。そして、嵌合穴８１は、係合板８０を前後方向に貫通している。
【００５６】
搬送ガイド７７は、囲部６６の下面の後端部における左右方向略中央に配置されている。搬送ガイド７７は、複数のガイドリブ８２を備えている。複数のガイドリブ８２は、左右方向に互いに間隔を空けて並列配置されている。ガイドリブ８２は、図１に示すように、前後方向に延びる側面視略矩形の板状を有しており、囲部６６の下面から下方に向かって突出している。また、ガイドリブ８２は、湾曲縁８３を有している。湾曲縁８３は、ガイドリブ８２の下端縁であって、後上方に向かって凹む側面視略湾曲形状を有している。
【００５７】
パネルユニット６４は、図４に示すように、パネルフレーム９０と、操作部の一例としてのラバーキー９１と、表示部の一例としてのディスプレイユニット９２と、基板の一例としてのパネル基板９３とを有している。
【００５８】
パネルフレーム９０は、パネルプレート９５と、段差部９６とを有している。パネルプレート９５は、前後方向に延びる平面視略矩形の板状を有しており、パネル露出口７５と略同じサイズを有している。
【００５９】
パネルプレート９５は、複数のボタン開口９７と、ディスプレイ開口９９とを有している。複数のボタン開口９７は、後述するラバーキー９１の複数のボタン１１１に対応しており、パネルプレート９５の前方部分において、互いに間隔を空けて配置されている。ボタン開口９７は、左右方向に延びる平面視楕円形状、または、左右方向に延びる平面視略矩形状を有しており、パネルプレート９５を上下方向に貫通している。ディスプレイ開口９９は、パネルプレート９５の後方部分に配置されている。ディスプレイ開口９９は、左右方向に延びる平面視略矩形を有しており、パネルプレート９５を上下方向に貫通している。
【００６０】
また、パネルプレート９５は、図５に示すように、その下面において、複数のボタンカラー１００と、複数の第１フック部１０１と、第２フック部１０２とを一体に有している。
【００６１】
複数のボタンカラー１００は、複数のボタン開口９７に対応して備えられており、パネルプレート９５の下面における前方部分に配置されている。ボタンカラー１００は、上下方向に延びる筒状を有しており、対応するボタン開口９７の周縁から下方に向かって延びている。また、ボタンカラー１００は、底面視において、対応するボタン開口９７と略同じ形状を有している。
【００６２】
複数の第１フック部１０１は、具体的には、パネルプレート９５の下面における左右両端部のそれぞれに２つずつ配置されている。パネルプレート９５の下面の左端部に配置される２つの第１フック部１０１、および、パネルプレート９５の下面の右端部に配置される２つの第１フック部１０１のそれぞれは、前後方向に互いに間隔を空けて配置されている。
【００６３】
第１フック部１０１は、上下方向に延びる側面視略矩形の板状を有しており、パネルプレート９５の下面から下方に向かって延びている。これにより、第１フック部１０１は、左右方向に撓むように弾性変形可能である。また、第１フック部１０１の下端部は、左右方向内方に向かって突出する断面鉤状を有している。
【００６４】
第２フック部１０２は、パネルプレート９５の下面の後端部における左右方向略中央に配置されており、ディスプレイ開口９９の後方の周縁部分に配置されている。第２フック部１０２は、上下方向に延びる背面視略矩形の板状を有しており、パネルプレート９５の下面から下方に向かって延びている。これにより、第２フック部１０２は前後方向に撓むように弾性変形可能である。また、第２フック部１０２の下端部は、前方に向かって突出する断面鉤状を有している。第２フック部１０２の上下方向の寸法は、第１フック部１０１の上下方向の寸法と略同じである。
【００６５】
段差部９６は、図４に示すように、パネルプレート９５の周縁全体から下方に向かって突出している。すなわち、パネルフレーム９０は、左右方向および前後方向に切断したときの断面形状が、下方に向かって開放される凹形状を有している。
【００６６】
詳しくは、段差部９６は、図１１Ｂに示すように、断面クランク形状を有しており、パネルプレート９５の周縁から下方に向かって突出した後、パネルプレート９５から離れるように、略９０°屈曲し、次いで、下方に向かって屈曲している。
【００６７】
また、段差部９６は、図４に示すように、切欠部９８と、１対のパネル係合部１０３とを有している。
【００６８】
切欠部９８は、段差部９６の左壁における前下方に部分に配置されている。切欠部９８は、前後方向に延びる側面視略矩形状を有しており、段差部９６の左壁の下端縁における前方部分から上方に向かって切り欠かれている。
【００６９】
１対のパネル係合部１０３は、１対のカバー係合部７９に対応して備えられており、段差部９６の後壁の後面に配置されている。１対のパネル係合部１０３は、左右方向に互いに間隔を隔てて向かい合っている。パネル係合部１０３は、平面視略矩形の角柱形状を有しており、段差部９６の後壁の後面から後方に向かって突出している。
【００７０】
ラバーキー９１は、パネルプレート９５の前方部分に対して下方に配置されている。ラバーキー９１は、図８に示すように、ゴムからなり、平板部１１０と、複数のボタン１１１と、周壁の一例としての周側壁１１２と、延出部１１３とを有している。
【００７１】
平板部１１０は、平面視略矩形の板状を有している。つまり、平板部１１０は、前後方向および左右方向に延びている。平板部１１０は、図５に示すように、複数の貫通穴１１４を有している。複数の貫通穴１１４は、複数のボタン１１１に対応している。貫通穴１１４は、左右方向に延びる底面視楕円形状、または、左右方向に延びる平面視略矩形状を有しており、平板部１１０を上下方向に貫通している。
【００７２】
複数のボタン１１１は、図８に示すように、平板部１１０の上面に配置されている。ボタン１１１は、図５および図８に示すように、ボタン本体１１５と、導電部材１１６とを有している。
【００７３】
ボタン本体１１５は、図８に示すように、上下方向に延びる略筒状を有しており、対応する貫通穴１１４の周縁から上方に向かって延びている。また、ボタン本体１１５は、平面視において、対応する貫通穴１１４と略同じ形状を有しており、ボタン本体１１５の上端部は、閉鎖されている。
【００７４】
導電部材１１６は、図５に示すように、導電性のゴムからなり、ボタン本体１１５内に収容されている。
【００７５】
周側壁１１２は、図８に示すように、平板部１１０の周縁全体から上方に向かって突出している。すなわち、平板部１１０および周側壁１１２は、左右方向および前後方向に切断したときの断面形状が、上方に向かって開放される凹形状を構成している。
【００７６】
また、周側壁１１２は、複数の排出口１１８を有している。複数の排出口１１８は、具体的には、２つ備えられており、周側壁１１２の右壁において、前後方向に互いに間隔を空けて２つ配置されている。排出口１１８は、図１２Ｂに示すように、上下方向に延びる側面視略矩形状を有しており、周側壁１１２の上下方向全体にわたって延びている。つまり、排出口１１８は、上下方向に延びるスリット状を有しており、周側壁１１２の右壁を左右方向に貫通している。
【００７７】
延出部１１３は、図８に示すように、複数の排出口１１８に対応して複数、具体的には、２つ備えられており、前後方向に間隔を空けて配置されている。なお、２つの延出部１１３のそれぞれを区別する場合、前方の延出部１１３を、前延出部１１３Ｆとし、後方の延出部１１３を後延出部１１３Ｒとする。
【００７８】
延出部１１３は、図１２Ｂに示すように、上方に向かって開放される側面視略コ字状を有しており、図８に示すように、排出口１１８の前方周縁、後方周縁および下方周縁から、左方に向かって突出している。
【００７９】
詳しくは、延出部１１３は、図８および図１３に示すように、１対の延出側部１１９と、延出底部１１７とを有している。図８に示すように、１対の延出側部１１９は、延出部１１３の前後両端部であって、前後方向に間隔を空けて向かい合っている。１対の延出側部１１９のそれぞれは、側面視略矩形の板状を有しており、排出口１１８の前後両周縁のそれぞれから、左方に向かって突出している。
【００８０】
延出底部１１７は、図１３に示すように、延出部１１３の下端部であって、１対の延出側部１１９の下端部間に架設されている。延出底部１１７は、側面視略Ｌ字の板状を有しており、排出口１１８の下方周縁から左方に向かって延びた後、延出側部１１９の左端部よりも右方で屈曲して下方に向かって延びている。つまり、延出側部１１９は、延出底部１１７よりも左右方向において左方に配置されている。
【００８１】
ディスプレイユニット９２は、図４に示すように、パネルプレート９５の後方部分に対して下方に配置されている。ディスプレイユニット９２は、支持フレーム１２１と、ＬＥＤディスプレイ１２０とを備えている。
【００８２】
支持フレーム１２１は、上下方向に延びる略角筒形状を有している。支持フレーム１２１は、平面視において左右方向に延びる略矩形状を有しており、側面視において前方に向かうにつれて幅狭となる略台形状を有している。
【００８３】
ＬＥＤディスプレイ１２０は、表示素子としての発光ダイオードが前後左右に複数並列配置されるディスプレイ装置であって、プリンタ１の動作が表示されるように構成されている。ＬＥＤディスプレイ１２０は、左右方向に延びる平面視略矩形の板状を有している。そして、ＬＥＤディスプレイ１２０は、支持フレーム１２１内において、支持フレーム１２１に支持されている。
【００８４】
パネル基板９３は、ラバーキー９１およびディスプレイユニット９２の下方に配置されており、プリンタ１が備える図示しないＣＰＵなどの制御部に電気的に接続されている。また、パネル基板９３は、画像形成部４の動作に対応する、図示しないＣＰＵからの電気信号を、ＬＥＤディスプレイ１２０に伝達するように構成され、かつ、ラバーキー９１のボタン１１１の操作に対応する電気信号を、図示しないＣＰＵに出力するように構成されている。
【００８５】
パネル基板９３は、前後方向に延びる平面視略矩形の板状を有しており、その上面において、複数のボタン接点１２３と、ＬＥＤ接点１２４とを有している。複数のボタン接点１２３は、複数のボタン１１１に対応しており、パネル基板９３の上面における前方部分に配置されている。複数のボタン接点１２３は、互いに間隔を隔てて配置されている。ＬＥＤ接点１２４は、ＬＥＤディスプレイ１２０に対応しており、パネル基板９３の上面における後方部分に配置されている。
【００８６】
パネルカバー７４は、図６Ａに示すように、パネルユニット６４の下方に配置されており、図７に示すように、底面視において、パネルユニット６４を下方から被覆可能な形状およびサイズを有している。
【００８７】
パネルカバー７４は、図４および図８に示すように、カバープレート１２５と、スペーサー１３２と、カバー周側壁１２６と、嵌合突起１２９と、壁部の一例としての規制壁１２８と、基板配置部１２７とを有している。
【００８８】
カバープレート１２５は、図８に示すように、前後方向に延びる平面略矩形の板状を有している。カバープレート１２５は、開口の一例としての液体排出口１３０と、切欠部１３７とを有している。
【００８９】
液体排出口１３０は、複数の延出部１１３に対応して複数、具体的には、２つ備えられている。なお、２つの液体排出口１３０のそれぞれを区別する場合、前方の液体排出口１３０を、前液体排出口１３０Ｆとし、後方の延出部１１３を後液体排出口１３０Ｒとする。
【００９０】
後液体排出口１３０Ｒは、カバープレート１２５の左方部分における前後方向の略中央に配置されている。後液体排出口１３０Ｒは、平面視略矩形状を有しており、カバープレート１２５を上下方向に貫通している。
【００９１】
前液体排出口１３０Ｆは、カバープレート１２５の左方部分において、後液体排出口１３０Ｒに対して後方に僅かに間隔を空けて配置されている。前液体排出口１３０Ｆは、前後方向に延びる平面視略矩形状を有しており、カバープレート１２５の左端縁から右方に向かって凹んでいる。つまり、前液体排出口１３０Ｆは、カバープレート１２５を上下方向に貫通している。
【００９２】
切欠部１３７は、カバープレート１２５の左方部分において、前液体排出口１３０Ｆに対して前方に間隔を空けて配置されている。切欠部１３７は、カバープレート１２５の左方部分の前端部を、平面視略矩形状に切り欠いている。
【００９３】
スペーサー１３２は、図４に示すように、カバープレート１２５の上面における前後方向略中央部分に配置されており、前後方向に間隔を空けて複数並列配置されている。スペーサー１３２は、左右方向延びる正面視略矩形の板状を有しており、カバープレート１２５の上面から上方に向かって突出している。
【００９４】
カバー周側壁１２６は、図８に示すように、前方に向かって開放される平面視略Ｕ字状を有しており、カバープレート１２５の左端縁、後端縁および右端縁から、上方に向かって突出している。詳しくは、カバー周側壁１２６は、左カバー周側壁１２６Ａと、後カバー周側壁１２６Ｂと、右カバー周側壁１２６Ｃとを一体に有している。
【００９５】
左カバー周側壁１２６Ａは、カバープレート１２５の左端縁における前液体排出口１３０Ｆよりも後方の部分から、上方に向かって突出しており、前後方向に延びる側面視略矩形の板状を有している。
【００９６】
後カバー周側壁１２６Ｂは、カバープレート１２５の後端縁から上方に向かって突出しており、左右方向に延びる正面視略矩形の板状を有している。また、後カバー周側壁１２６Ｂの左端部は、左カバー周側壁１２６Ａの後端部に接続されている。
【００９７】
右カバー周側壁１２６Ｃは、正面視略クランク状を有しており、カバープレート１２５の右端縁から上方に向かって突出した後、右方に向かって屈曲し、次いで、上方に向かって屈曲している。また、右カバー周側壁１２６Ｃは、前後方向に延びており、右カバー周側壁１２６Ｃの後端部は、後カバー周側壁１２６Ｂの右端部に接続されている。
【００９８】
嵌合突起１２９は、後カバー周側壁１２６Ｂの後面における左右方向略中央に配置されている。嵌合突起１２９は、左右方向に延びる平面視略矩形の板状を有しており、後カバー周側壁１２６Ｂの後面から後方に向かって突出している。
【００９９】
規制壁１２８は、図４に示すように、カバープレート１２５の上面において、複数のスペーサー１３２に対して前方に間隔を空けて配置されている。規制壁１２８は、図８に示すように、カバープレート１２５の上面から上方に向かって突出しており、平面視略Ｌ字状を有している。
【０１００】
規制壁１２８は、第１規制部１２８Ａと、第２規制部１２８Ｂとを一体に有している。第１規制部１２８Ａは、右カバー周側壁１２６Ｃの左面における前端部から、前液体排出口１３０Ｆの右方周縁の前端部まで、左右方向に延びている。つまり、規制壁１２８の第１規制部１２８Ａの左端部は、上方から見て、前液体排出口１３０Ｆと左右方向に隣接している。なお、第１規制部１２８Ａの左右方向略中央部分は、平面視略半円形状に後方に向かって凹んでいる。
【０１０１】
第２規制部１２８Ｂは、第１規制部１２８Ａの左端部から連続して、前液体排出口１３０Ｆの右方周縁に沿って後方に向かって延びている。
【０１０２】
基板配置部１２７は、図４に示すように、パネルカバー７４の前左部分であって、規制壁１２８に対して、複数のスペーサー１３２の反対、具体的には、左前方に配置されている。基板配置部１２７は、ＵＳＢ基板配置部１３５と、通信基板支持部１３６とを有している。
【０１０３】
ＵＳＢ基板配置部１３５は、図８に示すように、規制壁１２８の第１規制部１２８Ａよりも前方に配置されている。ＵＳＢ基板配置部１３５は、側板部１３８と、底板部１３９とを一体に有している。側板部１３８は、平面視略Ｌ字の板状を有しており、カバープレート１２５の切欠部１３７の右方周縁および後方周縁から、下方に向かって延びている。底板部１３９は、平面視略矩形の板状を有しており、その右端部および後端部が、側板部１３８の下端部に接続されている。
【０１０４】
通信基板支持部１３６は、ＵＳＢ基板配置部１３５の後方に隣接され、かつ、規制壁１２８の第２規制部１２８Ｂに対して左方に間隔を空けて配置されている。
【０１０５】
通信基板支持部１３６は、側面視略矩形の板状を有しており、通信基板支持部１３６の左面において、通信基板７３を支持可能に構成されている。
【０１０６】
ＵＳＢ基板７２は、プリンタ１と、外部の部材とを接続するように構成されており、外部の部材のユニバーサル・シリアル・バス（ＵＳＢ）端子を受け入れ可能なＵＳＢコネクタ１４１を備えている。また、ＵＳＢ基板７２は、図示しないＣＰＵに電気的に接続されている。
【０１０７】
そして、ＵＳＢ基板７２は、図６Ｂに示すように、囲部６６の下面において、パネル露出口７５の前方かつ凹部７６の左方に配置され、囲部６６にねじ止めされている。
【０１０８】
通信基板７３は、プリンタ１と、無線ローカル・エリア・ネットワーク（無線ＬＡＮ）とを無線通信可能に接続するように構成されている。そして、通信基板７３は、通信基板支持部１３６の左面に支持されている。
（２−２）トップカバーに対するパネルユニットおよびパネルカバーの組み付け
次に、図４〜図６Ｂを参照して、トップカバー６３に対するパネルユニット６４およびパネルカバー７４の組み付けについて説明する。なお、以下の動作は、作業者により実施される。
【０１０９】
トップカバー６３に対してパネルユニット６４を組み付けるには、図４および図５に示すように、まず、パネルユニット６４を組み立てる。
【０１１０】
パネルユニット６４を組み立てるには、まず、パネルフレーム９０に、ラバーキー９１およびディスプレイユニット９２を組み付ける。ラバーキー９１は、各ボタン本体１１５が対応するボタンカラー１００に下方から挿入されるように、パネルプレート９５の前方部分に対して下方から組みつけられる。また、ディスプレイユニット９２は、支持フレーム１２１の内部空間がディスプレイ開口９９と上下方向に連通するように、パネルプレート９５の後方部分に対して下方から組み付けられる。
【０１１１】
次いで、パネル基板９３を、パネルフレーム９０に対して下方から組み付ける。これにより、パネル基板９３の左右両端部が、４つの第１フック部１０１のそれぞれの下端部に当接するとともに、パネル基板９３の後端部が、第２フック部１０２の下端部に当接する。すると、４つの第１フック部１０１のそれぞれが、左右方向外方に向かって弾性変形するとともに、第２フック部１０２が後方に向かって弾性変形する。
【０１１２】
続いて、パネル基板９３をさらに上方に向かって移動させると、パネル基板９３の左右両端部と、４つの第１フック部１０１の下端部との当接が解除されるとともに、パネル基板９３の後端部と、第２フック部１０２の下端部との当接が解除される。
【０１１３】
すると、４つの第１フック部１０１のそれぞれは、それらの弾性力により復元して、パネル基板９３の左右両端部と係合し、第２フック部１０２は、弾性力により復元して、パネル基板９３の後端部と係合する。
【０１１４】
このとき、ラバーキー９１は、図１１Ｂに示すように、ボタン１１１の上端部を除いて、パネルプレート９５の前方部分と、パネル基板９３の前方部分との上下方向の間に配置されている。
【０１１５】
また、ラバーキー９１の平板部１１０は、パネル基板９３の上方に隣接配置され、複数の導電部材１１６のそれぞれは、図４および図５に示すように、対応するボタン接点１２３の上方に僅かに間隔を隔てて配置されている。
【０１１６】
なお、ユーザが、ボタン１１１の上端部を上方から押圧することにより、そのボタン１１１の導電部材１１６が、対応するボタン接点１２３と接触する。すると、導電部材１１６とボタン接点１２３とが電気的に接続され、パネル基板９３から図示しないＣＰＵに電気信号が出力される。これによって、画像形成部４の動作が操作される。
【０１１７】
また、１対の延出部１１３のそれぞれは、図６Ａに示すように、左方から見て、切欠部９８と重なるように配置されている。また、延出部１１３の延出底部１１７の下方部分は、図１３に示すように、パネル基板９３の左方に僅かな間隔を空けて配置されており、左右方向から見て、パネル基板９３と重なっている。また、延出底部１１７の下端部は、左右方向から見て、パネル基板９３の下面と略一致しており、上下方向において略同じ位置に配置されている。
【０１１８】
また、ディスプレイユニット９２は、図４に示すように、パネルプレート９５の後方部分と、パネル基板９３の後方部分との上下方向の間に配置されている。また、ディスプレイユニット９２のＬＥＤディスプレイ１２０は、ＬＥＤ接点１２４に上方から接触するとともに、上方から見てディスプレイ開口９９と重なるように配置されている。
【０１１９】
以上によって、ラバーキー９１、ディスプレイユニット９２およびパネル基板９３が、パネルフレーム９０に取り付けられ、パネルユニット６４が組み立てられる。
【０１２０】
このとき、図２に示すように、ボタン開口９７の内周縁と、ボタン本体１１５の外周面とは、隙間Ｃ１を画定している。つまり、隙間Ｃ１は、平面視略環状を有しており、上壁５９の上面に複数形成されている。
【０１２１】
次いで、図６Ａおよび図６Ｂに示すように、パネルユニット６４をトップカバー６３に組み付ける。
【０１２２】
パネルユニット６４をトップカバー６３に組み付けるには、まず、パネルユニット６４の後端部がパネルユニット６４の前端部よりも上方に位置するように、パネルユニット６４を斜めに配置し、１対のパネル係合部１０３のそれぞれを、１対のカバー係合部７９のそれぞれに前下方から挿入する。
【０１２３】
次いで、パネルフレーム９０のパネルプレート９５がパネル露出口７５内に挿入されるように、パネルユニット６４を、パネル係合部１０３を支点として、左側面視反時計回り方向に回転させる。
【０１２４】
そうすると、パネルフレーム９０の段差部９６の左右両側壁と、４つのスナップフィット７８の下端部とが当接する。これによって、４つのスナップフィット７８のそれぞれが、左右方向外方に向かって弾性変形する。
【０１２５】
続いて、パネルユニット６４をさらに左側面視反時計回り方向に回転させると、段差部９６の左右両側壁と、４つのスナップフィット７８の下端部との当接が解除される。すると、４つのスナップフィット７８のそれぞれは、それらの弾性力により復元して、段差部９６の左右両側壁と係合する。
【０１２６】
これによって、パネルユニット６４が、トップカバー６３に取り付けられる。
【０１２７】
このとき、パネルプレート９５は、図２に示すように、パネル露出口７５内に挿入されている。これによって、パネル露出口７５の内周縁と、パネルプレート９５の外周縁とは、隣接されており、隙間Ｃ２を画定している。隙間Ｃ２は、平面視略矩形の環状を有している。
【０１２８】
また、パネルプレート９５の上面は、図１１Ｂに示すように、トップカバー６３の囲部６６の上面と略面一である。また、段差部９６の屈曲部分は、囲部６６におけるパネル露出口７５の周縁に対して下方に隣接されている。
【０１２９】
次いで、図６Ａおよび図６Ｂに示すように、トップカバー６３に取り付けられたパネルユニット６４を、下方から被覆するように、パネルカバー７４をトップカバー６３に組み付ける。パネルカバー７４をトップカバー６３に組み付けるには、まず、パネルカバー７４の後端部がパネルカバー７４の前端部よりも上方に位置するように、パネルカバー７４を斜めに配置し、嵌合突起１２９を、係合板８０の嵌合穴８１に前下方から挿入する。
【０１３０】
次いで、パネルカバー７４を、嵌合突起１２９を支点として、左側面視反時計回り方向に回転させた後、図７に示すように、トップカバー６３の囲部６６の下面にねじ止めする。これによって、パネルユニット６４は、パネルカバー７４内に収容される。
【０１３１】
このとき、複数のスペーサー１３２は、図１１Ｂおよび図１２Ｂに示すように、パネル基板９３に対して下方から接触しており、パネル基板９３と、カバープレート１２５とは上下方向に互いに間隔を空けて向かい合っている。
【０１３２】
また、右カバー周側壁１２６Ｃの右端部は、図１１Ｂに示すように、隙間Ｃ２の右方部分よりも右方に位置している。なお、図示しないが、後カバー周側壁１２６Ｂは、隙間Ｃ２の後方部分よりも後方に位置しており、左カバー周側壁１２６Ａは、隙間Ｃ２の左方部分よりも左方に位置している。
【０１３３】
また、規制壁１２８は、図１２Ａに示すように、前後方向において、パネルユニット６４のパネル基板９３と、基板配置部１２７のＵＳＢ基板配置部１３５との間に配置されており、規制壁１２８の第１規制部１２８Ａは、隙間Ｃ２の前方部分よりも前方に位置している。
【０１３４】
また、基板配置部１２７は、パネルユニット６４に対して、前左方に間隔を空けて配置されている。つまり、基板配置部１２７は、上下方向から見て、パネルユニット６４と重ならない位置に配置されている。そして、基板配置部１２７のＵＳＢ基板配置部１３５は、図７に示すように、ＵＳＢ基板７２を受け入れ、底板部１３９は、ＵＳＢ基板７２を下方から被覆している。
【０１３５】
以上によって、トップカバー６３に対するパネルユニット６４およびパネルカバー７４の組み付けが完了する。
【０１３６】
このとき、前延出部１１３Ｆは、図１２Ａおよび図１２Ｂに示すように、上下方向から見て、前液体排出口１３０Ｆの前後方向略中央と重なるように、前液体排出口１３０Ｆの上方に間隔を空けて配置されており、前方の排出口１１８は、上下方向から見て、前液体排出口１３０Ｆと重なっている。また、後延出部１１３Ｒは、上下方向から見て、後液体排出口１３０Ｒと重なるように、後液体排出口１３０Ｒの上方に間隔を空けて配置されており、後方の排出口１１８は、上下方向から見て、後液体排出口１３０Ｒと重なっている。
（２−３）左側壁
左側壁６１は、図２に示すように、本体ケーシング２の左端部であって、図１１Ｂに示すように、画像形成部４に対して左方に配置されている。
【０１３７】
左側壁６１は、図２に示すように、前後方向に延びる側面視略矩形状を有しており、図３に示すように、フレーム１４５と、サイドカバー１４６とを備えている。
【０１３８】
フレーム１４５は、図１１Ｂに示すように、左側壁６１の右方部分であり、画像形成部４に対して左方、かつ、パネルカバー７４の下方に配置されている。
【０１３９】
フレーム１４５は、図３に示すように、公知の樹脂材料からなり、プレートの一例としての本体プレート１５０と、フレーム周側壁１５１とを一体に有している。
【０１４０】
本体プレート１５０は、前後方向に延びる側面視略矩形の板状を有している。つまり、鉛直部１５９は、上下方向と前後方向とのそれぞれに延びている。本体プレート１５０は、図１１Ｂに示すように、画像形成部４に対して左方に配置されている。フレーム周側壁１５１は、本体プレート１５０の周縁全体から左方に向かって突出している。すなわち、フレーム１４５は、上下方向および前後方向に切断したときの断面形状が、左方に向かって開放される凹形状である。また、フレーム周側壁１５１の上壁の左端部は、図１１Ｂに示すように、液体排出口１３０よりも右方に位置している。
【０１４１】
また、フレーム１４５は、図９に示すように、液体ガイド部１５２を有している。液体ガイド部１５２は、本体プレート１５０の左面において、前上方部分に配置されており、図１１Ｂに示すように、パネルカバー７４の前方部分の下方に配置されている。
【０１４２】
液体ガイド部１５２は、図９に示すように、第１壁１５３と、第２壁１５５と、第３壁１５６とを有している。
【０１４３】
第１壁１５３は、側面視略クランク状の板状を有しており、本体プレート１５０の左面から左方に向かって突出している。第１壁１５３は、後方部分である第１部分１５８と、前方部分である第２部分１５４とを有している。
【０１４４】
第１部分１５８は、平面視略矩形の板状を有しており、図１２Ｂに示すように、前後方向に延びている。また、第１部分１５８は、上下方向から見て、後延出部１１３Ｒおよび後液体排出口１３０Ｒと重なるように、後液体排出口１３０Ｒの下方に間隔を空けて配置されている。
【０１４５】
また、第１部分１５８は、溝部１５７を有している。溝部１５７は、上下方向から見て、前液体排出口１３０Ｆの後端部と重なるように、前液体排出口１３０Ｆの下方に間隔を空けて配置され、後液体排出口１３０Ｒよりも僅かに前方に配置されている。溝部１５７は、上方に向かって開放される半円形状を有しており、第１壁１５３の第１部分１５８の上面から下方に向かって凹んでいる。また、溝部１５７は、図１１Ｂに示すように、第１壁１５３の左右方向全体にわたって、左右方向に沿って延びている。つまり、溝部１５７は、サイドカバー１４６に向かって左方に開放されている。
【０１４６】
第２部分１５４は、図１２Ｂに示すように、第１部分１５８の前方に配置されている。第２部分１５４は、側面視略Ｌ字の板状を有しており、前後方向に延びている。詳しくは、第２部分１５４は、鉛直部１５９と、水平部１６０と、傾斜部１６１とを一体に有している。鉛直部１５９は、第１部分１５８の前端部から連続して上方に向かって延びている。水平部１６０は、鉛直部１５９の上端部から連続して前方に向かって延びている。傾斜部１６１は、水平部１６０の前端部から連続して、前方に向かうにつれて上方に向かって傾斜している。
【０１４７】
第２壁１５５は、図９に示すように、側面視略クランクの板状を有しており、水平部１６０および傾斜部１６１の左端部から上方に向かって突出しており、図８に示すように、規制壁１２８の第２規制部１２８Ｂよりも左方に配置されている。
【０１４８】
第２壁１５５は、前後方向に延びており、後方部分１６３と、前方部分１６５とを一体に有している。
【０１４９】
後方部分１６３は、水平部１６０の左端部から上方に向かって突出する部分であって、側面視において前後方向に延びる略矩形状を有し、図１２Ａに示すように、平面視において略直線状に延びている。前方部分１６５は、水平部１６０の左端部から上方に向かって突出する部分であって、図９に示すように、側面視において前後方向に延びる略矩形状を有し、図１２Ａに示すように、平面視において略クランク形状を有している。
【０１５０】
詳しくは、前方部分１６５は、後方部分１６３の前上端部から連続して、前方に向かって延びた後、右方に向かって屈曲し、次いで、前方に向かって屈曲している。
【０１５１】
これによって、第２壁１５５の前方部分１６５の前端部は、左右方向から見て、通信基板支持部１３６の後端部と重なるように、通信基板支持部１３６の後端部に対して、右方に隣接配置されている。また、前方部分１６５の前端部は、規制壁１２８の第２規制部１２８Ｂの後端部よりも前方に位置している。
【０１５２】
第３壁１５６は、図１２Ｂに示すように、第１壁１５３の上面において、溝部１５７の後方、つまり、溝部１５７に対して、第２部分１５４の反対に間隔を空けて配置されている。また、第３壁１５６は、後液体排出口１３０Ｒよりも後方に位置している。第３壁１５６は、側面視略矩形状を有しており、第１壁１５３の上面から上方に向かって突出している。そして、第３壁１５６は、図９に示すように、第１壁１５３の左右方向全体にわたって、左右方向に沿って延びている。
【０１５３】
サイドカバー１４６は、図１１Ｂに示すように、左側壁６１の左方部分であり、フレーム１４５の左方に隣接配置されている。サイドカバー１４６は、図２に示すように、フレーム１４５を左方から被覆している。サイドカバー１４６は、公知の樹脂材料からなり、側面視において、フレーム１４５と略同一形状およびサイズを有する板状である。
【０１５４】
また、サイドカバー１４６は、図１０に示すように、サイドカバー本体１６９と、受部１７０とを有している。
【０１５５】
サイドカバー本体１６９は、前後方向に延びる側面視略矩形の板状を有している。サイドカバー本体１６９の下端部は、フレーム１４５の下端部を被覆するように、下方に向かうにつれて右方に湾曲している。
【０１５６】
また、サイドカバー本体１６９は、切欠溝１８０を有している。切欠溝１８０は、サイドカバー本体１６９の下端部における前方部分に配置されている。切欠溝１８０は、右方に向かって開放される平面視略Ｕ字状を有し、サイドカバー本体１６９の下端縁から左方に向かって凹んでいる。
【０１５７】
受部１７０は、サイドカバー本体１６９の右面における前上方部分に配置されており、切欠溝１８０の上方に配置されている。また、受部１７０は、図１１Ｂに示すように、液体ガイド部１５２に対して左方かつ下方に配置されている。受部１７０は、図１０に示すように、サイドカバー本体１６９の右面から右方に向かって突出しており、本体部１７１と、突出部１７２と、１対の延長部１７３とを一体に有している。
【０１５８】
本体部１７１は、下方に向かって開放される側面視略Ｕ字状を有しており、サイドカバー本体１６９の右面から右方に向かって突出している。また、本体部１７１の右端部は、図１１Ｂに示すように、上下方向から見て、溝部１５７の左端部と重なっている。
【０１５９】
また、本体部１７１は、図１０に示すように、楔状部分１７４と、１対の板状部分１７５とを有している。
【０１６０】
楔状部分１７４は、本体部１７１の上方部分であって、上方に向かう頂部を有する側面視略楔形状を有している。１対の板状部分１７５は、本体部１７１の下方部分であって、前後方向に互いに間隔を空けて向かい合っている。
【０１６１】
板状部分１７５は、下方に向かう頂部を有する正面視略三角形状の板状を有しており、楔状部分１７４の前後両端縁のそれぞれから下方に向かって延びている。そして、板状部分１７５の左端部は、サイドカバー本体１６９の右面に接続されている。
【０１６２】
また、板状部分１７５は、傾斜部の一例としての傾斜縁１７６を有している。傾斜縁１７６は、板状部分１７５の下端縁であって、左下方および右上方を結ぶ方向に延びている。つまり、傾斜縁１７６は、板状部分１７５の右端部から、サイドカバー本体１６９に近づくように左方に向かうにつれて下方に向かって傾斜している。
【０１６３】
突出部１７２は、上方に向かう頂部を有する側面視略楔形状の板状を有しており、楔状部分１７４の上面における右端部から上方に向かって突出している。また、突出部１７２は、図１１Ｂに示すように、溝部１５７の左端部よりも右方に位置している。
【０１６４】
また、突出部１７２は、図１０に示すように、傾斜部分１７７を有している。傾斜部分１７７は、突出部１７２の前後両端部であって、傾斜縁１７６と略平行となるように、左下方および右上方を結ぶ方向に延びている。つまり、傾斜部分１７７は、サイドカバー本体１６９に近づくように左方に向かうにつれて下方に向かって傾斜している。
【０１６５】
１対の延長部１７３は、受部１７０の下端部であって、１対の板状部分１７５のそれぞれの左端部から連続して下方に向かって延びている。これにより、１対の延長部１７３は、前後方向に互いに間隔を空けて向かい合っている。詳しくは、延長部１７３は、上下方向に延びる略杆状を有しており、傾斜縁１７６の左端部から連続して、サイドカバー本体１６９の右面に沿って下方に向かって延びている。
（２−４）右側壁、後壁およびフロントカバー
右側壁６０は、図１に示すように、本体ケーシング２の右端部であって、左側壁６１と画像形成部４を挟むように、画像形成部４に対して右方に配置されている。右側壁６０は、前後方向に延びる側面視略矩形状を有している。
【０１６６】
後壁６２は、本体ケーシング２の後端部であって、画像形成部４に対して後方に配置されている。そして、後壁６２は、右側壁６０の後端部と、左側壁６１の後端部とを左右方向に連結している。
【０１６７】
フロントカバー１０は、図２に示すように、右側壁６０の前端部と、左側壁６１の前端部との間に配置されている。なお、以下のフロントカバー１０の説明において、方向に言及するときには、図２において実線にて示すように、フロントカバー１０が閉鎖位置に位置している状態を基準とする。
【０１６８】
フロントカバー１０は、フロントカバー本体１８５と、カバー操作部の一例としての把持部材１８６とを備えている。
【０１６９】
フロントカバー本体１８５は、左右方向に延びる正面視略矩形の平板形状を有している。そして、フロントカバー本体１８５は、フロントカバー本体１８５の下端部を支点として揺動可能となるように、右側壁６０および左側壁６１に支持されている。
【０１７０】
把持部材１８６は、フロントカバー１０の上端部に配置されており、フロントカバー本体１８５の上端部における左右方向の略中央に支持されている。
【０１７１】
把持部材１８６は、左右方向に延びる平面視略矩形の板状を有している。そして、把持部材１８６は、フロントカバー１０が閉鎖位置にあるときに、トップカバー６３の凹部７６内に受け入れられている。このとき、把持部材１８６の上面は、囲部６６の上面と略面一であって、排紙トレイ１１、囲部６６、パネルユニット６４のパネルプレート９５および把持部材１８６が、本体ケーシング２の上面を構成する。
【０１７２】
なお、図示しないが、把持部材１８６は、上下方向に移動可能に構成されている。そして、把持部材１８６は、フロントカバー１０が閉鎖位置にある状態において、常には、囲部６６と係合しており、フロントカバー１０を閉鎖位置に維持するようにロックしている。一方、ユーザが把持部材１８６を上方から押圧すると、把持部材１８６は下方に移動し、把持部材１８６と囲部６６との係合が解除される。これによって、フロントカバー１０のロックが解除され、フロントカバー１０の揺動が許容される。
３．液体の誘導
このようなプリンタ１において、ユーザが、誤って本体ケーシング２の上方から、水などの液体をこぼすと、本体ケーシング２の上壁５９の上面に液体がかかる。
（１）隙間Ｃ１からの液体の浸入に対する誘導
すると、液体は、複数のボタン１１１のそれぞれと、複数のボタン開口９７のそれぞれとの間の隙間Ｃ１に浸入する場合がある。
【０１７３】
この場合、隙間Ｃ１に浸入した液体は、図１１Ｂに示すように、ボタン本体１１５の外周面と、対応するボタンカラー１００の内周面との間を伝って流下した後、ラバーキー９１の平板部１１０上に到達する。
【０１７４】
これにより、液体は、ラバーキー９１の平板部１１０および周側壁１１２に受けられる。そして、液体は、図８および図１３に示すように、平板部１１０の上面に沿って流動する。すると、ラバーキー９１に受けられた液体は、２つの排出口１１８を通過した後、延出底部１１７を伝って、延出部１１３から排出される。
【０１７５】
詳しくは、図１２Ｂに示すように、前方の排出口１１８から排出される液体は、前延出部１１３Ｆを通過した後、下方に向かって落下し、前液体排出口１３０Ｆを通過する。そして、液体は、液体ガイド部１５２の水平部１６０の上面に落下する。その後、液体は、水平部１６０および鉛直部１５９を順次伝って、後方に向かって流動し、第１壁１５３の上面に到達した後、溝部１５７内に流入する。
【０１７６】
一方、後方の排出口１１８から排出される液体は、後延出部１１３Ｒを通過した後、下方に向かって落下し、後液体排出口１３０Ｒを通過する。そして、液体は、第１壁１５３の上面における溝部１５７の後方に落下する。その後、液体は、第１壁１５３を伝って、前方に向かって流動し、溝部１５７内に流入する。つまり、溝部１５７は、本体ケーシング２内に浸入する液体を受けるように構成されている。
【０１７７】
そして、溝部１５７は、図１１Ｂに示すように、溝部１５７に流入した液体をサイドカバー１４６に向かって左方に案内する。その後、液体は、溝部１５７の左端部から排出され、受部１７０に向かって下方に落下する。
【０１７８】
すると、受部１７０の突出部１７２は、溝部１５７から落下する液体を伝わせるように受け、本体部１７１に向けてガイドする。これによって、液体ガイド部１５２から受部１７０に液体が受け渡される。その後、液体は、本体部１７１の傾斜縁１７６を伝って、サイドカバー本体１６９の右面に向かって流動する。
【０１７９】
次いで、液体は、図１０に示すように、傾斜縁１７６から延長部１７３に受け渡され、延長部１７３を伝って下方に流下する。その後、液体は、サイドカバー本体１６９の右面に沿って下方に向かって流下し、切欠溝１８０を介して本体ケーシング２外に排出される。
（２）隙間Ｃ２からの液体の浸入に対する誘導
また、上壁５９の上面に液体がかかると、液体は、図２に示すように、パネルフレーム９０のパネルプレート９５と、パネル露出口７５との間の隙間Ｃ２に浸入する場合がある。
【０１８０】
隙間Ｃ２に浸入する液体は、図１１Ｂに示すように、段差部９６の外面を伝って、パネルプレート９５から離れるように流動する。つまり、段差部９６は、液体をパネル基板９３から離れるようにガイドする。その後、段差部９６にガイドされる液体は、段差部９６の下端部から、パネルカバー７４の上面に落下する。より詳しくは、隙間Ｃ２に浸入する液体のうち、隙間Ｃ２の後方部分および前方部分から浸入する液体は、直接、カバープレート１２５の上面に落下する。一方、隙間Ｃ２に浸入する液体のうち、隙間Ｃ２の右方部分から浸入する液体は、右カバー周側壁１２６Ｃの上面に受けられた後、カバー周側壁１２６に沿って流動し、カバープレート１２５の上面に到達する。
【０１８１】
カバープレート１２５の上面に到達した液体は、カバープレート１２５と、パネル基板９３との上下方向の間を、カバープレート１２５の上面に沿って流動し、２つの液体排出口１３０を介して、液体ガイド部１５２に向かって排出される。
【０１８２】
このとき、図１２Ｂに示すように、前液体排出口１３０Ｆの前方部分から排出される液体は、液体ガイド部１５２の傾斜部１６１の上面に落下する。すると、傾斜部１６１は、その傾斜により、液体を溝部１５７に向かうように、後方に向かって流動させる。
【０１８３】
その後、液体は、水平部１６０、鉛直部１５９および第１壁１５３を順次伝って、溝部１５７に到達する。
【０１８４】
また、前液体排出口１３０Ｆの後方部分から排出される液体は、水平部１６０または第１壁１５３の上面における溝部１５７の前方に落下した後、溝部１５７に流入する。
【０１８５】
また、後液体排出口１３０Ｒから排出される液体は、第１壁１５３の上面における溝部１５７の後方に落下した後、溝部１５７に流入する。
【０１８６】
溝部１５７内に流入した液体は、上記と同様にして、溝部１５７から、図１１Ｂに示すように、受部１７０に受け渡された後、サイドカバー本体１６９の右面に沿って流動し、図１０に示すように、切欠溝１８０を介して、本体ケーシング２外に排出される。
４．作用効果
（１）パネルユニット６４が、図２に示すように、トップカバー６３のパネル露出口７５に挿入されるように配置されているので、パネルユニット６４においてラバーキー９１やディスプレイユニット９２の個数および配置を変更する場合には、図６Ａおよび図６Ｂに示すように、パネルユニット６４のみの設計を変更した後、そのパネルユニット６４を、トップカバー６３のパネル露出口７５に対して挿入するように組み付けることができる。
【０１８７】
そのため、パネルユニット６４の設計を変更する場合であっても、パネルユニット６４とともにトップカバー６３の形状を変更する必要がなく、製造コストの低減を図ることができる。
（２）閉鎖位置にあるフロントカバー１０の把持部材１８６は、図２に示すように、トップカバー６３の凹部７６に受け入れられるので、プリンタ１がフロントカバー１０を備えていても、プリンタ１の大型化を抑制できる。また、閉鎖位置にあるフロントカバー１０の把持部材１８６が、本体ケーシング２の上面の一部を構成するので、把持部材１８６に対して容易にアクセスすることができる。
（３）トップカバー６３は、図５に示すように、排紙トレイ１１に向かう用紙Ｐの搬送をガイドする搬送ガイド７７を有している。そして、搬送ガイド７７のガイドリブ８２が、図１に示すように、排紙トレイ１１に向かう用紙Ｐの搬送をガイドするので、用紙Ｐを本体ケーシング２から排紙トレイ１１に向けて確実に排出することができる。
【０１８８】
また、トップカバー６３が搬送ガイド７７を有しているので、トップカバー６３と搬送ガイド７７とが別部材である場合と比較して、部品点数の低減を図ることができる。
（４）パネルユニット６４は、図４に示すように、トップカバー６３のパネル露出口７５に挿入された状態において、カバー係合部７９とパネル係合部１０３とを係合させることができる。そのため、パネルユニット６４とトップカバー６３とが別体であっても、パネルユニット６４とトップカバー６３との相対的な位置関係を一定に保つことができる。
（５）ラバーキー９１およびディスプレイユニット９２と、パネル基板９３とが、図６Ａおよび図６Ｂに示すように、ともにパネルフレーム９０に取り付けられるので、ラバーキー９１およびディスプレイユニット９２と、パネル基板９３との相対的な位置関係を一定に保つことができる。そのため、ラバーキー９１およびディスプレイユニット９２と、パネル基板９３とを確実に電気的に接続できる。
（６）パネルカバー７４が、図７に示すように、パネルユニット６４を下方から覆っているので、パネルユニット６４を保護することができる。
（７）パネルカバー７４が、図４に示すように、通信基板７３を支持しているので、パネルユニット６４の機能の向上を図ることができる。
【符号の説明】
【０１８９】
１      プリンタ
２      本体ケーシング
４      画像形成部
９      本体開口部
１０    フロントカバー
１１    排紙トレイ
６３    トップカバー
６４    パネルユニット
６５    トレイ部
６６    囲部
７２    ＵＳＢ基板
７３    通信基板
７５    パネル露出口
７６    凹部
７７    搬送ガイド
７９    カバー係合部
９０    パネルフレーム
９１    ラバーキー
９２    ディスプレイユニット
１０３  パネル係合部
１８６  把持部材
Ｐ      用紙
【図１】
2015106063.tif 000003
【図２】
2015106063.tif 000004
【図３】
2015106063.tif 000005
【図４】
2015106063.tif 000006
【図５】
2015106063.tif 000007
【図６】
2015106063.tif 000008
【図７】
2015106063.tif 000009
【図８】
2015106063.tif 000010
【図９】
2015106063.tif 000011
【図１０】
2015106063.tif 000012
【図１１】
2015106063.tif 000013
【図１２】
2015106063.tif 000014
【図１３】
2015106063.tif 000015